(57)【要約】【課題】  周囲環境や投影面の影響を略々排除して投影前の原画像に略々一致した正確な色再現を実現可能とする。【解決手段】  プロジェクタ１１は、スクリーン面上に映し出される投影基画像を表示する液晶パネルと、その液晶パネルに表示された投影基画像をスクリーン面上に投影させる投影光学系とを備えている。このプロジェクタ１１への画像投影前には、プロジェクタ１１の投影光学系の光源、及び、メインカメラ３１の撮像デバイス及び撮像光学系の初期値が設定される。そしてＣＰＵ１０は、その初期値設定後、キャリブレーション用チャート画像を投影基画像としてプロジェクタ１１の液晶パネルに表示させ、そのチャート画像をメインカメラ３１にて撮影した画像から、スクリーン面及び周囲環境光の色再現性を検知し、その検知情報を基に、投影前の原画像データの色再現を最適化する加工処理を施す。【選択図】  図１
2010119017.tif 000002
【特許請求の範囲】
【請求項１】
スクリーン面上に映し出される投影基画像を表示する投影基画像表示パネル部と、その投影基画像表示パネル部に表示された投影基画像をスクリーン面上に投影させる投影光学系とを備えたプロジェクタ部と、
所定のキャリブレーション用チャート画像を上記投影基画像として上記プロジェクタ部の投影基画像表示パネル部に表示させるチャート画像表示制御部と、
少なくとも上記スクリーン面を撮影する撮像素子と撮像光学系とを備えたカメラ部と、
上記プロジェクタ部の投影光学系の光源、及び、上記カメラ部の撮像素子及び撮像光学系の初期値を設定する初期値設定部と、
上記初期値設定部による上記初期値設定後、上記プロジェクタ部によりスクリーン面上に投影された上記キャリブレーション用チャート画像の投影画像を上記カメラ部が撮影した画像から、上記スクリーン面及び周囲環境光の色再現性を検知し、その検知した色再現性を基に、投影前の原画像データに対して色再現を最適化する加工処理を施し、当該加工処理後の画像を上記投影基画像表示パネル部に上記投影基画像として表示させる画像加工処理部と、
を有する前面投影型映像表示装置。
【請求項２】
上記画像加工処理部は、上記原画像データの色差比率を調整する加工処理を行う請求項１記載の前面投影型映像表示装置。
【請求項３】
上記初期値設定部は、照度センサにより検知した周囲環境照明状態を基に、上記プロジェクタ部の上記投影光学系の光源の初期値を設定する請求項１記載の前面投影型映像表示装置。
【請求項４】
上記初期値設定部は、上記カメラ部により上記スクリーン面を撮影した画像を基に、上記プロジェクタ部の上記投影光学系の光源の初期値を設定する請求項２又は請求項３記載の前面投影型映像表示装置。
【請求項５】
上記初期値設定部は、上記プロジェクタ部によりスクリーン面上に投影された上記所定のキャリブレーション用チャート画像の投影画像を上記カメラ部が撮影した画像から、上記カメラ部の上記撮影光学系のフォーカスと上記撮像素子出力の初期値を設定する請求項４記載の前面投影型映像表示装置。
【請求項６】
スクリーン面上に映し出される投影基画像を表示する投影基画像表示パネル部とその投影基画像表示パネル部に表示された投影基画像をスクリーン面上に投影させる投影光学系とを備えたプロジェクタ部に対し、チャート画像表示制御部が、所定のキャリブレーション用チャート画像を上記投影基画像として表示させるステップと、
撮像素子と撮像光学系とを備えたカメラ部が上記スクリーン面を撮影するステップと、
上記プロジェクタ部の投影光学系の光源、及び、上記カメラ部の撮像素子及び撮像光学系の初期値を、初期値設定部が設定するステップと、
上記初期値設定部による上記初期値設定後、画像加工処理部が、上記プロジェクタ部によりスクリーン面上に投影された上記キャリブレーション用チャート画像の投影画像を上記カメラ部が撮影した画像から、上記スクリーン面及び周囲環境光の色再現性を検知し、その検知した色再現性を基に、投影前の原画像データに対して色再現を最適化する加工処理を施し、当該加工処理後の画像を上記投影基画像表示パネル部に上記投影基画像として表示させるステップと、
を有する投影画像補正方法。
【請求項７】
スクリーン面上に映し出される投影基画像を表示する投影基画像表示パネル部とその投影基画像表示パネル部に表示された投影基画像をスクリーン面上に投影させる投影光学系とを備えたプロジェクタ部に対し、所定のキャリブレーション用チャート画像を上記投影基画像として表示させるチャート画像表示制御部と、
撮像素子と撮像光学系とを備えたカメラ部の上記撮像素子及び撮影光学系の初期値と上記プロジェクタ部の投影光学系の光源の初期値を設定する初期値設定部と、
上記初期値設定部による上記初期値設定後、上記プロジェクタ部によりスクリーン面上に投影された上記キャリブレーション用チャート画像の投影画像を上記カメラ部が撮影した画像から、上記スクリーン面及び周囲環境光の色再現性を検知し、その検知した色再現性を基に、投影前の原画像データに対して色再現を最適化する加工処理を施し、当該加工処理後の画像を上記投影基画像表示パネル部に上記投影基画像として表示させる画像加工処理部として、
前面投影型映像表示装置を動作させる投影画像補正プログラム。
【発明の詳細な説明】
【技術分野】
【０００１】
本発明は、前面投影型映像表示装置、投影画像補正方法、及び、投影画像補正プログラムに関する。
【背景技術】
【０００２】
従来より、前面投影型映像投影装置（以下、プロジェクタ装置と表記する。）では、例えば明るさや色温度、フォーカスといった各種の設定を手動で行うものが主流となっている。
【０００３】
また、例えば特開２００６−２７６４６６号の公開特許公報（特許文献１）には、カメラ機能により投射像の投射面を撮影した撮影画像を基に、プロジェクタ機能におけるフォーカスの調整、明るさの調整、ホワイトバランスの調整、台形歪みの補正などを行うプロジェクタ機能付き携帯電話機が開示されている。さらに、この特許文献１には、コントラスト算出用画像や明るさ検出用画像などを投射した投射像をカメラ機能により撮影し、その撮影画像を用いてフォーカス調整、明るさ調整、ホワイトバランス調整を行うようになされている。なお、コントラスト算出用画像としては、例えば縦ラインを複数連ねた形状のパターン画像が挙げられており、フォーカス調整は、その縦ラインを撮影した画像のコントラストに応じてなされる。明るさ検出用画像としては、全体が無色（白色）の画像が挙げられており、明るさ調整は、その白色画像を撮影した画像の明るさが適切になるように、プロジェクタ機能のＬＥＤ光源への供給電流を調整することで行われる。また、白色の明るさ検出用画像は、ホワイトバランス調整にも用いられ、その白色画像を撮影した画像が本来の白色になるように、プロジェクタ機能のＬＥＤ光源への供給電流をＲ，Ｇ，Ｂ各色毎に調整することで行われる。
【０００４】
【特許文献１】特開２００６−２７６４６６号公報（図４，図６，図７）
【発明の開示】
【発明が解決しようとする課題】
【０００５】
ところで、上述のように携帯電話端末にプロジェクタ装置が搭載された場合には、従来の据え置き型のプロジェクタ装置の場合とは異なる問題が発生する。すなわち、携帯電話端末にプロジェクタ装置が搭載された場合、従来の据え置き型プロジェクタ装置のような専用スクリーンに映像が投影されるとは限らず、例えば室内の壁等のように、その場に存在する様々な物がスクリーンとして用いられる可能性が高い。
【０００６】
このように壁等の様々な物がスクリーンとして使用された場合、プロジェクタ装置では、上述の特許文献１に記載されているようなホワイトバランス調整や明るさ調整を行っただけでは、必ずしも良い画質の投影映像を得られない可能性が高い。すなわち例えば、壁の色が白色ではない場合や、室内照明が白色光ではないような場合には、上述の特許文献１のようにプロジェクタ機能のＬＥＤ光源によるＲ，Ｇ，Ｂ光を調整するのみでは、投影画像の色再現についても投影前の原画像のものと大きく異なってしまう虞がある。
【０００７】
本発明は、このような実情に鑑みて提案されたものであり、投影前の原画像に略々一致した正確な色再現がなされた投影画像を実現可能な前面投影型映像表示装置、投影画像補正方法、及び、投影画像補正プログラムを提供することを目的とする。
【課題を解決するための手段】
【０００８】
本発明は、スクリーン面上に映し出される投影基画像を表示する投影基画像表示パネル部と、その投影基画像表示パネル部に表示された投影基画像をスクリーン面上に投影させる投影光学系とを備えたプロジェクタ部とを有する前面投影型映像表示装置である。また、本発明の前面投影型映像表示装置は、撮像素子と撮像光学系とを備えたカメラ部により、少なくともスクリーン面を撮影可能となされている。本発明の前面投影型映像表示装置は、投影光学系の光源と撮像素子と撮像光学系の初期値を設定した後、プロジェクタ部によりスクリーン面上に投影されたキャリブレーション用チャート画像の投影画像の撮影画像から、スクリーン面及び周囲環境光の色再現性を検知する。そして、前面投影型映像表示装置は、その検知した色再現性を基に、投影前の原画像データに対して色再現を最適化する加工処理を施し、当該加工処理後の画像を投影基画像表示パネル部に投影基画像として表示させる。
【０００９】
すなわち、本発明によれば、例えば投影光学系の光源光を調整するのではなく、投影前の原画像データに加工処理を施すことで、スクリーン面上に投影された画像の色再現性を最適化している。
【発明の効果】
【００１０】
本発明においては、投影前の原画像データに加工処理を施して、スクリーン面上に投影された画像の色再現を最適化することで、投影前の原画像に略々一致した正確な色再現性を有する投影画像を実現可能としている。
【発明を実施するための最良の形態】
【００１１】
以下、図面を参照しながら、本発明の一実施形態について説明する。
【００１２】
なお、本実施形態では、本発明が適用される一例として、前面投影型映像表示装置を備えた携帯電話端末を挙げるが、勿論、ここで説明する内容はあくまで一例であり、本発明はこの例に限定されないことは言うまでもない。なお、本実施形態における前面投影型映像表示装置は、携帯電話端末に内蔵された機能であってもよいし、コネクタ等を介して携帯電話端末に接続される超小型の前面投影型映像表示装置であっても良い。また、本実施形態では、後述のように携帯電話端末に画像撮影用のカメラ機能が搭載されている例を挙げているが、画像撮影は別のカメラ装置により行われても良い。
【００１３】
［携帯電話端末の概略構成］
図１には、本実施形態の携帯電話端末の概略構成を示す。
【００１４】
図１において、プロジェクタ１１は、本実施形態の携帯電話端末に内蔵されたプロジェクタ装置である。当該プロジェクタ１１は、前面投影型であり、投影されるべき基画像を表示する液晶パネル、その液晶パネルに投影光を照射する光源、及び、液晶パネル上に表示された投影基画像をスクリーン等に投影させるための投影光学系等を備えている。なお、プロジェクタ装置の具体的構成としては、投影方式により大別して液晶方式とＤＬＰ（Digital Light Processing）方式の２種類を挙げることができ、本発明実施形態のプロジェクタ１１はそれらの何れの方式であっても良い。光源としては、例えばＲ，Ｇ，Ｂ光をそれぞれ発光するＬＥＤ（発光ダイオード）等を挙げることができる。
【００１５】
メインＬＣＤ(Liquid Crystal Display）１２は、本実施形態の携帯電話端末に搭載されているメイン液晶ディスプレイである。ＬＣＤＣ１３は、上記メインＬＣＤ１２の動作及び表示等を制御する液晶ディスプレイコントローラである。
【００１６】
ＬＥＤ（発光ダイオード）１４は、例えば着信ランプやキーパット４５の照明ランプなど、本実施形態の携帯電話端末に備えられている各種照明光源である。ＬＥＤドライバ１５は、それら複数のＬＥＤ１４を駆動および制御する。
【００１７】
加速度センサ１６は、本実施形態の携帯電話端末に例えば物理的な振動が加えられた時に、その振動の加速度の大きさ及び向きを検出する。この加速度センサ１６の検出信号はＣＰＵ１０へ送られる。
【００１８】
ジャイロセンサ１７は、本実施形態の携帯電話端末に例えば物理的な振動が加えられた時に、その振動による回転方向の角速度と回転角度を検出する。このジャイロセンサ１７の検出信号はＣＰＵ１０へ送られる。
【００１９】
照度センサ１８は、本実施形態の携帯電話端末の周囲環境の明るさを検出する。この照度センサ１８の検出信号はＣＰＵ１０へ送られる。
【００２０】
レシーバ１９は、本実施形態の携帯電話端末にて音声通話等が行われている時に、受話音声を出力するためのスピーカである。
【００２１】
マイクロホン２０は、本実施形態の携帯電話端末にて音声通話等が行われている時に、送話音声を入力するための音声入力デバイスである。
【００２２】
外部インターフェース（Ｉ／Ｆ）２１は、各種外部コネクタとその外部コネクタとの間で信号等を行うための外部接続部からなる。なお、上記外部コネクタにはいわゆるＵＳＢ２．０（Universal Serial Bus 2.0）規格のコネクタが含まれており、このため本実施形態の携帯電話端末はＵＳＢ２．０コントローラ２２も備えている。
【００２３】
ＵＳＩＭカードスロット２３は、加入者情報（契約者情報）等が記憶されたいわゆるＵＳＩＭ（Universal Subscriber Identity Module）カードが装填されるＩＣカードスロットである。
【００２４】
赤外線通信モジュール２４は、赤外線を用いて情報通信を行うための通信デバイスである。
【００２５】
振動モータ２５は、本実施形態の携帯電話端末に振動を発生させるためのいわゆるバイブレータである。
【００２６】
バッテリ２６は、本実施形態の携帯電話端末の各部で使用する電力用の電源である。
【００２７】
周辺ＩＣ＋電源ＩＣ２７は、上記ＵＳＩＭカードスロット２３、赤外線通信モジュール２４、振動モータ２５、バッテリ２６、外部インターフェース２１と接続されており、それら各部の制御や信号処理の他、バッテリ２６の電源の供給制御などを行う。
【００２８】
メインカメラ３１は、本実施形態の携帯電話端末に搭載されたカメラ部であり、撮影光学系や撮像デバイス等からなる。フラッシュ（フラッシュライト）３３は、カメラによる撮影時の撮影補助光を発光するための光源ランプである。フラッシュライトコントローラ３２は、メインカメラ３１による撮影に連動して、フラッシュ３３の発光を制御する。
【００２９】
サブカメラ３４は、上記メインカメラ３１とは別に設けられたカメラ部であり、一例として、いわゆる自分撮り時にユーザ自身を撮影したり、テレビ電話による通話の際にユーザ自身を撮影する際などに用いられる。
【００３０】
ＲＦ回路３５は、本実施形態の携帯電話端末が携帯電話網の基地局と通信する際の無線通信用回路である。アンテナ３６は、本実施形態の携帯電話端末が基地局と無線通信を行う際の無線通信アンテナである。
【００３１】
非接触通信カードコントローラ３７は、非接触通信ＩＣカードとの間でいわゆる電磁誘導方式により信号通信を行うための各種制御及び信号処理を行う。非接触通信カードアンテナ３８は、上記電磁誘導方式による非接触通信のためのアンテナである。
【００３２】
ブルートゥース（Ｂｌｕｅｔｏｏｔｈ：登録商標）コントローラ３９は、いわゆるブルートゥース方式により無線通信を行うための各種制御及び信号処理を行う。ブルートゥースアンテナ４０は、上記ブルートゥース方式の無線通信のためのアンテナである。
【００３３】
デジタルＴＶチューナ４１は、いわゆるデジタルテレビジョン放送用のチューナである。デジタルＴＶアンテナ４２は、当該デジタルテレビジョン放送電波を受信するためのアンテナである。
【００３４】
メモリカードスロット４４は、例えばいわゆるＳＤ（Secure Digital）カード等の外部メモリカードが着脱されるスロットである。メモリカードコントローラ４３は、メモリカードスロット４４に装填されたメモリカードに対するデータの書き込み／読み出し等の制御及び信号処理を行う。
【００３５】
キーパッド４５は、本実施形態の携帯電話端末に搭載された各種キーと、それら各キーがユーザにより操作された時のキー出力信号を生成する。
【００３６】
内部メモリ４６は、例えばＤＤＲ  ＳＤＲＡＭ（Double Data Rate SDRAM）４７と、ＮＡＮＤ型フラッシュメモリ（NAND-type flash memory）４８とを有してなる。上記ＮＡＮＤ型フラッシュメモリ４８には、ＯＳ（Operating System）のプログラムやＣＰＵ１０が各部を制御するための制御プログラム、本発明にかかる投影画像補正プログラムを含む各種のアプリケーションプログラム、圧縮符号化された楽曲・動画像・静止画データコンテンツの他、各種の設定値、フォントデータ、各辞書データ、機種名情報や端末識別情報などが記憶される。ＤＤＲ  ＳＤＲＡＭ４７は、ＣＰＵ１０が各種のデータ処理や演算を行う際の作業領域として、随時データを記憶する。
【００３７】
音声チップ４９は、例えば音楽再生などの信号処理を行うためのＩＣ回路である。当該音声チップ４９には、ステレオ音声出力用の右スピーカ５０と左スピーカ５１が接続されている。
【００３８】
ＣＰＵ（中央処理ユニット）１０は、通信制御、音声処理及びその制御、画像処理及びその制御、その他各種信号処理や各部の制御等を行う。また、ＣＰＵ１０は、内部メモリ４６に蓄積されている各種の制御プログラムやアプリケーションプログラムの実行及びそれに付随する各種データ処理等を行う。特に本実施形態の場合、詳細については後述するが、ＣＰＵ１０は、内部メモリ４６に格納されている本発明にかかる投影画像補正プログラムを実行することにより、プロジェクタ１１とメインカメラ３１の初期値設定や、プロジェクタ１１により映像投影される投影基画像の表示制御、その投影基画像の一つであるキャリブレーション用チャート画像の生成制御等を行う。またこの時のＣＰＵ１０は、上記キャリブレーション用チャート画像の撮影画像を用いて、スクリーン投影面の色や照明光の色等を検知し、その検知情報を基に、スクリーン投影面の色味や照明光の色味を補正した最適な色再現性を実現するために、投影前の原画像データに対して加工処理を施す。
【００３９】
その他、図１には図示を省略しているが、本実施形態の携帯電話端末は、一般的な携帯電話端末に設けられる各構成要素についても当然ながら備えている。
【００４０】
［プロジェクタによる映像投影］
図２には、上述したようなプロジェクタ１１を内蔵した携帯電話端末１によりスクリーン３上に画像４が投影されている状態の一例を示す。なお、図２に例示した投影画像４は、建物画像等の投影対象物画像５が含まれる画像となっている。
【００４１】
ここで、本実施形態の携帯電話端末１は、プロジェクタ１１により画像を投影する前に、上記照度センサ１８により周囲環境における大凡の照明状態（明るさ）を検知する。また、携帯電話端末１は、プロジェクタ１１による画像投影前に、メインカメラ３１を用いて投影面を撮影した画像から当該投影面の明るさ情報を求める。そして、携帯電話端末１は、それら照明状態の検知情報と上記撮影画像による明るさ情報とから、プロジェクタ１１のブライトネス（出力値）を適正レベルに初期設定、つまり明る過ぎたり暗過ぎない適正な明るさに初期設定する。またこのように、適正なブライトネスが得られるようにした場合、本実施形態の携帯電話端末１では、例えばブライトネスを必要以上に高くし過ぎることでバッテリの電力が消耗してしまうことを防止でき、省電力化を実現可能となる。なお、当該プロジェクタ１１のブライトネス設定の際には、上記照度センサ１８による検知情報とメインカメラ３１による明るさ情報の何れか一方のみを用いてもよいし、それら両者を組み合わせてもよい。両者を組み合わせる場合には、何れか一方、若しくはそれら両者に対し、それぞれ適宜重み付けを行ってもよい。
【００４２】
さらに、携帯電話端末１は、プロジェクタ１１の起動後、所定のキャリブレーション用チャート画像をスクリーン面（例えば壁面等）に投影し、その投影画像をメインカメラ３１により撮影する。そして、携帯電話端末１は、上記キャリブレーション用チャート画像の撮影画像を用い、プロジェクタ１１の明るさ調整やフォーカス調整（より詳細な初期設定）を行う。なお、本実施形態において、上記所定のキャリブレーション用チャート画像は、例えば図３に示すように、背景が白色となされ、その背景上に、白色格子エリア、黒色格子エリア、それら白色格子エリアと黒色格子エリアの間に配されてそれぞれ階調差を有する幾つかのグレー色格子エリアと、青色や緑色，赤色，黄色等の幾つかの色からなる各色格子エリアとが配された画像となされる。
【００４３】
すなわち、携帯電話端末１は、上記キャリブレーション用チャート画像の撮影画像のうち、白色背景と黒色格子エリアとの間のエッジ部分の例えばコントラストを求め、そのコントラストが例えば閾値以上となるように、メインカメラ３１のレンズ系のフォーカスを調整する初期設定を行う。そして、携帯電話端末１は、当該メインカメラ３１のフォーカス調整後に、同じく白色背景と黒色格子エリアとの間のエッジ部分の例えばコントラストを求め、そのコントラストが例えば閾値以上となるように、プロジェクタ１１の投影光学系のフォーカス調整する初期設定を行う。
【００４４】
また、本実施形態の携帯電話端末１は、上記所定のキャリブレーション用チャート画像の撮影画像のうち、白色背景と黒色格子エリアとの間の輝度差と、及び、各グレー色格子エリア間の階調差を求める。なお、プロジェクタ１１の明るさが強過ぎる場合には、上記黒色格子エリアの黒色がグレー色（いわゆる白浮き）となり階調差が少なくなる（いわゆる階調がつぶれた状態となる）。逆に、プロジェクタ１１の明るさが弱過ぎる場合には、白色背景や白色格子エリアの白色がグレー色となり（いわゆる白が沈んだ状態となる）、やはり階調差が少なくなる。このため、本実施形態の携帯電話端末１は、上記求めた輝度差と階調差とが適正な値になるように、プロジェクタ１１の光源を制御して明るさ調整する初期設定を行う。
【００４５】
さらに、本実施形態の携帯電話端末１は、例えばプロジェクタ１１のＬＥＤ光源によるＲ，Ｇ，Ｂ光を調整することにより、ホワイトバランスを調整することも可能となされている。
【００４６】
ところで、本実施形態のように、携帯電話端末１のプロジェクタ１１により画像が投影されるスクリーンは、必ずしも白色の投影専用スクリーンであるとは限らず、また、室内照明光の色についても必ずしも白色光であるとは限らない。このように、スクリーンが例えば室内の壁等であったり、室内照明光が白色光でないような場合、プロジェクタ１１のＬＥＤ光源のＲ，Ｇ，Ｂ光を調整するのみでは、必ずしも正確な色再現性が得られない可能性が高い。すなわち例えば、図２の投影対象物画像５の色等が原画像の色等とは異なってしまう虞がある。
【００４７】
このため、本実施形態の携帯電話端末１は、前述のような各種初期設定が完了した後、上記キャリブレーション用チャート画像のうち白色背景や白色格子エリアの撮影画像を基に、スクリーン投影面の色味および照明光の色味を検知する。但しこの場合、プロジェクタ１１の光源自体が有する色温度特性や、メインカメラ３１のホワイトバランスが変化すると、当該メインカメラ３１の撮影画像から上記スクリーン投影面の色味および照明光の色味を判断することができなくなるため、本実施形態では、前述したように、プロジェクタ１１の光源とメインカメラ３１のホワイトバランスを初期設定により固定している。なお、プロジェクタ１１の光源の色温度特性を変化させない場合（例えば色温度特性が設計仕様により決まっている場合）には、メインカメラ３１のホワイトバランスのみを初期設定により固定してもよい。
【００４８】
また、本実施形態の携帯電話端末１は、上記キャリブレーション用チャート画像の上記各色格子エリアを撮影した撮影画像から、各色の色再現性（それぞれ個々の色が正しく再現されているかの程度）を検出する。
【００４９】
そして、本実施形態の携帯電話端末１は、上述のように検知した投影面及び照明光の色味を補正して最適な色再現性が得られる画像加工処理を原画像データに施し、その加工処理後の画像をプロジェクタ１１の液晶パネル上に表示する投影基画像とする。すなわち本実施形態の携帯電話端末１は、上記キャリブレーション用チャート画像の撮影画像を基に、原画像に対して例えば色差信号Ｃｂ，Ｃｒの比率を適宜変えるような画像加工処理を施し、その画像加工処理後の画像を、プロジェクタ１１の液晶パネル上に投影基画像として表示する。これにより、本実施形態によれば、投影面の色味および照明光の色味を補正した最適な色再現の画像をスクリーン面上に投影することが可能となる。
【００５０】
その他、本実施形態に携帯電話端末１において、上述した明るさ調整やフォーカス調整、ホワイトバランス調整、色再現性の調整は、ユーザからの要求に応じて常時実行可能となされている。また、それら各調整の機能は、個別若しくは一括してオン／オフ（有効／無効）設定が可能となされている。
【００５１】
［明るさ、ホワイトバランス、色再現性等の調整フロー］
図４には、上述したような明るさ調整やホワイトバランス調整、色再現性の調整がなされる際のフローチャートを示す。なお、この図４のフローチャートの処理は、ＣＰＵ１０が本発明の投影画像補正プログラムを実行することにより行われる。
【００５２】
図４において、プロジェクタ１１による映像投影を行う旨の指示がユーザ等から入力されると、ＣＰＵ１０は、プロジェクタ映像投影を実際に開始する前に、ステップＳ１の処理として、照度センサ１８を用いて周囲環境における大凡の照明状態を検知する。
【００５３】
また、ＣＰＵ１０は、プロジェクタによる画像投影前に、ステップＳ２の処理として、メインカメラ３１を起動させ、さらにステップＳ３の処理として、当該メインカメラ３１にて投影面を撮影する。
【００５４】
そして、ＣＰＵ１０は、ステップＳ４の処理として、ステップＳ１にて検知した周囲照明環境による明るさ情報とステップＳ３にて撮影した画像から求めた投影面の明るさ情報とから、プロジェクタ１１のブライトネス（光量）の初期値を設定する。当該光量の初期値は、上記周囲環境の照明状態と撮影面の明るさとに応じた最適な値に設定される。これにより、不必要なブライトネス設定による無駄な電力消費を無くすことができ、省電力化が可能となる。
【００５５】
次に、ＣＰＵ１０は、ステップＳ５の処理として、プロジェクタ１１を起動させ、ステップＳ６の処理として、前述の図３に示したようなキャリブレーション用チャート画像を投影基画像として上記プロジェクタ１１の液晶パネル上に表示させる。
【００５６】
そして、ＣＰＵ１０は、上記プロジェクタ１１により投影面上に投影された上記キャリブレーション用チャート画像を、メインカメラ３１により撮影させる。
【００５７】
次に、ＣＰＵ１０は、ステップＳ８の処理として、上記キャリブレーション用チャート画像の撮影画像を用いて前述のようにメインカメラ３１のフォーカス調整を行う。
【００５８】
さらに、上記カメラのフォーカス調整の初期設定完了後、ＣＰＵ１０は、ステップＳ９とステップＳ１０の処理として、上記キャリブレーション用チャート画像の撮影画像を用いたフィードバック制御により、プロジェクタ１１のフォーカス自動調整を行う。すなわち、ＣＰＵ１０は、プロジェクタ１１のフォーカス自動調整時にメインカメラ３１で得られた撮影画像から、プロジェクタ１１のフォーカスが合ったか否か判定するフィードバックフォーカス調整を行う。これらステップＳ９とステップＳ１０の処理において、ＣＰＵ１０は、プロジェクタ１１のフォーカスが合っていない場合にはステップＳ８へ処理を戻し、フォーカスが合った場合にはステップＳ１１へ処理を進める。
【００５９】
ステップＳ１１の処理に進むと、ＣＰＵ１０は、上記キャリブレーション用チャート画像の撮影画像を用いて、前述したようにプロジェクタ１１のより正確な明るさ調整を行う。当該プロジェクタ１１の正確な明るさ調整による初期設定が終わると、ＣＰＵ１０は、ステップＳ１２へ処理を進める。
【００６０】
ステップＳ１２の処理に進むと、ＣＰＵ１０は、キャリブレーション用チャート画像の撮影画像を基に、その後にプロジェクタ投影される画像のホワイトバランスと色再現が適正となるように、それらの投影原画像データに対して、例えば色差の比率や位相を適宜変更するようなデータ加工処理を施す。
【００６１】
このステップＳ１２の処理が完了すると、ＣＰＵ１０は、図４のフローチャートの処理を終了する。この後、プロジェクタ１１により実際に画像の投影が開始されることになる。
【００６２】
［まとめ］
以上説明したように、本実施形態の携帯電話端末においては、ブライトネスを適正レベルにすることで省電力化を図ることができ、また、所定のキャリブレーション用チャート画像をカメラ撮影した画像から明るさ調整やホワイトバランス調整を行うことができる。さらに、本実施形態の携帯電話端末によれば、所定のキャリブレーション用チャート画像をカメラ撮影した画像を基に、原画像に対して色再現性を調整するためのデータ加工を施すことにより、スクリーン面上で正確な色再現性を有する画像を投影することが可能となっている。
【００６３】
なお、上述した実施形態の説明は、本発明の一例である。このため、本発明は上述した各実施形態に限定されることなく、本発明に係る技術的思想を逸脱しない範囲であれば、設計等に応じて種々の変更が可能であることはもちろんである。例えば、上述の実施形態では、携帯電話端末を例に挙げたが、本発明はプロジェクタ機能を内蔵した他の各種端末等にも適用可能である。
【００６４】
本実施形態のではキャリブレーション用チャート画像として図３に示す例を挙げたが、その他の既知の各種チャート画像を用いてもよい。また、例えばＲ，Ｇ，Ｂの三原色光をスクリーンに投影し、その投影画像の撮影画像を元にホワイトバランスを調整するようにしても良い。
【図面の簡単な説明】
【００６５】
【図１】本発明実施形態の携帯電話端末の概略構成を示すブロック図である。
【図２】プロジェクタを内蔵した携帯電話端末によりスクリーン上に画像が投影されている状態の一例を示す図である。
【図３】キャリブレーション用チャート画像の一例を示す図である。
【図４】明るさ調整、ホワイトバランス調整、色再現性等の調整フローチャートである。
【符号の説明】
【００６６】
１  携帯電話端末、３  スクリーン、４  投影画像、５  投影対象物画像、１０  ＣＰＵ、１１  プロジェクタ、１２  ＬＣＤ、１３  ＬＣＤＣ、１４  ＬＥＤ、１５  ＬＥＤドライバ、１６  加速度センサ、１７  ジャイロセンサ、１８  照度センサ、１９  レシーバ、２０  マイクロホン、２１  外部インターフェース、２２  ＵＳＢ２．０コントローラ、２３  ＵＳＩＭカードスロット、２４  赤外線通信モジュール、２５  振動モータ、２６  バッテリ、２７  周辺ＩＣ＋電源ＩＣ、３１  メインカメラ、３２  フラッシュライトコントローラ、３３  フラッシュ、３４  サブカメラ、３５  ＲＦ回路、３６  アンテナ、  ３７  非接触通信カードコントローラ３７、３８  非接触通信カードアンテナ、３９  ブルートゥースコントローラ、４０  ブルートゥースアンテナ、４１  デジタルＴＶチューナ、４２  デジタルＴＶアンテナ、４３  メモリカードコントローラ、４４  メモリカードスロット、４５  キーパッド、４６  内部メモリ、４７  ＤＤＲ  ＳＤＲＡＭ、４８  ＮＡＮＤ型フラッシュメモリ、４９  音声チップ、５０  右スピーカ、５１  左スピーカ
【図１】
2010119017.tif 000003
【図２】
2010119017.tif 000004
【図３】
2010119017.tif 000005
【図４】
2010119017.tif 000006